(57)【要約】【課題】構成が簡単で組立を容易にすること。【解決手段】組立式階段２は、一対の側枠・手摺ユニット４及び６と、側枠・手摺ユニット４及び６間に離脱自在に連結された複数の踏み板ユニット８と、支柱ユニットとからなる。一対の側枠・手摺ユニット４及び６は、傾斜部１２と傾斜部１２の上端から水平に延在する上水平部１４とを有する側枠１６と、側枠１６における少なくとも傾斜部１２の上面に一体に固定された手摺１８とを備えている。【選択図】図１
2008297881.tif 000002
【特許請求の範囲】
【請求項１】
上下方向に傾斜して延在する傾斜部であって下端が地面上に支持される傾斜部と傾斜部の上端から水平に延在する上水平部とを有する側枠と、側枠における少なくとも傾斜部の上面に一体に固定された手摺とを備えかつ、相互に水平方向に間隔をおいて対向する一対の側枠・手摺ユニットと；側枠・手摺ユニットの各々の側枠における傾斜部及び水平部間に離脱自在に連結された複数の踏み板ユニットと；地面上に直立しかつ側枠・手摺ユニットの各々における上水平部の先端に離脱自在に連結されて上水平部を地面の上方に実質的に水平に支持する支柱ユニットと；からなり、側枠・手摺ユニットの各々における水平部間に離脱自在に連結された踏み板ユニットの各々の上面は、実質的に共通な水平面上に存在する、
ことを特徴とする組立式階段。
【請求項２】
支柱ユニットは、相互に間隔をおいて対向し平行に直立する一対の支柱と、支柱間を支柱の各々に直角に延在して一体に連結する複数の梁部材と、それぞれ対応する支柱に相互に平行となるよう一端部が回動可能に支持された一対のブレース部材とを備え、ブレース部材の各々は、対応する支柱に沿って延在する折畳位置と、他端部が一端部に対し斜め上方に傾斜する連結位置との間を回動可能であり、ブレース部材の各々は、連結位置に位置付けられて他端部が、対応する側枠・手摺ユニットにおける上水平部の下面に離脱自在に連結される、請求項１記載の組立式階段。
【請求項３】
支柱ユニットは、支柱の各々の上端部間を一体に連結する上端梁部材を備え、手摺は、側枠・手摺ユニットの一方における傾斜部の上面及び上水平部の上面と、側枠・手摺ユニットの他方における傾斜部の上面と、支柱ユニットの上端梁部材の上面とにそれぞれ一体に固定される、又は、側枠・手摺ユニットの各々における傾斜部の上面及び上水平部の上面にそれぞれ一体に固定される、請求項１又は請求項２記載の組立式階段。
【請求項４】
側枠・手摺ユニットの各々の傾斜部における下端及び／又は支柱ユニットの支柱の各々の下端は、ジャッキ手段を介して地面上に支持される、請求項２又は請求項３記載の組立式階段。
【請求項５】
水平縦方向に相互に間隔をおいて地面に直立された第１の主支柱及び第２の主支柱が備えられ、第１の主支柱及び第２の主支柱には、水平縦方向に直交する水平横方向両側に水平に延び出す梁が、上下方向に相互に間隔をおいて複数個配設され、第２の主支柱に配設された梁は、それぞれ第１の主支柱に配設された梁の各々の中央の高さに位置付けられ、
第２の主支柱側の地面と第１の主支柱の下から１番目の梁の片側上面との間には、第１の片側階段ユニットが離脱自在に配設され、第２の主支柱の下からｎ番目の梁の片側上面と第１の主支柱の下からｎ＋１番目の梁の片側上面との間には、第ｎ＋１の片側階段ユニットが離脱自在に配設され、
第１の主支柱の下から１番目の梁の他側上面と第２の主支柱の下から１番目の梁の他側上面との間には、第１の他側階段ユニットが離脱自在に配設され、第１の主支柱の下からｎ＋１番目の梁の他側上面と第２の主支柱の下からｎ＋１番目の梁の他側上面との間には、第ｎ＋１の他側階段ユニットが離脱自在に配設され、
第１の片側階段ユニットは、上下方向に傾斜して延在する傾斜部であって下端が地面上に支持される傾斜部と傾斜部の上端から水平に延在する上水平部とを有する側枠と、側枠における少なくとも傾斜部の上面に一体に固定された手摺とを備えかつ、相互に水平方向に間隔をおいて対向する一対の側枠・手摺ユニットと；側枠・手摺ユニットの各々の側枠における傾斜部間に離脱自在に連結された複数の踏み板ユニットと；を備え、
第ｎ＋１の片側階段ユニット及び第ｎの他側階段ユニットは、上下方向に傾斜して延在する傾斜部と傾斜部の下端から水平に延在する下水平部と、傾斜部の上端から水平に延在する上水平部とを有する側枠と；側枠における少なくとも傾斜部の上面に一体に固定された手摺とを備えかつ、相互に水平方向に間隔をおいて対向する一対の側枠・手摺ユニットと；側枠・手摺ユニットの各々の側枠における傾斜部間に離脱自在に連結された複数の踏み板ユニットと；を備え、
第ｎの片側階段ユニットの、第１の主支柱における下からｎ番目の梁の片側の先端側に位置する側枠・手摺ユニットの上水平部と、第ｎの他側階段ユニットの、第１の主支柱における下からｎ番目の梁の他側の先端側に位置する側枠・手摺ユニットの下水平部との間には、複数の踏み板ユニットが水平上面を形成するよう離脱自在に連結され、
第ｎ＋１の片側階段ユニットの、第２の主支柱における下からｎ番目の梁の片側の先端側に位置する側枠・手摺ユニットの下水平部と、第ｎの他側階段ユニットの、第２の主支柱における下からｎ番目の梁の他側の先端側に位置する側枠・手摺ユニットの上水平部との間には、複数の踏み板ユニットが水平上面を形成するよう離脱自在に連結されている、
ことを特徴とする組立式階段。
【請求項６】
第１の片側階段ユニットを除く片側階段ユニットの各々の少なくとも側枠・手摺ユニット及び踏み板ユニットは、相互に実質的に同じ構成を有しており、他側階段ユニットの各々の少なくとも側枠・手摺ユニット及び踏み板ユニットは、相互に実質的に同じ構成を有している、請求項５記載の組立式階段。
【請求項７】
第ｎの片側階段ユニットの、第１の主支柱における下からｎ番目の梁の片側の基端側に位置する側枠・手摺ユニットの上水平部の上面と第ｎの他側階段ユニットの、第１の主支柱における下からｎ番目の梁の他側の基端側に位置する側枠・手摺ユニットの下水平部の上面は、第ｎの片側階段ユニットの、第１の主支柱における下からｎ番目の梁の片側の先端側に位置する側枠・手摺ユニットの上水平部の上面と第ｎの他側階段ユニットの、第１の主支柱における下からｎ番目の梁の他側の先端側に位置する側枠・手摺ユニットの下水平部の上面よりも低く形成され、水平上面を形成する踏み板ユニットの各々は、第ｎの片側階段ユニットの、第１の主支柱における下からｎ番目の梁の片側の基端側に位置する側枠・手摺ユニットの上水平部の上面と、第ｎの他側階段ユニットの、第１の主支柱における下からｎ番目の梁の他側の基端側に位置する側枠・手摺ユニットの下水平部の上面をクロスして延在し、
第ｎ＋１の片側階段ユニットの、第２の主支柱における下からｎ番目の梁の片側の基端側に位置する側枠・手摺ユニットの下水平部の上面と、第ｎの他側階段ユニットの、第２の主支柱における下からｎ番目の梁の他側の基端側に位置する側枠・手摺ユニットの上水平部の上面は、第ｎ＋１の片側階段ユニットの、第２の主支柱における下からｎ番目の梁の片側の先端側に位置する側枠・手摺ユニットの下水平部の上面と、第ｎの他側階段ユニットの、第２の主支柱における下からｎ番目の梁の他側の先端側に位置する側枠・手摺ユニットの上水平部の上面よりも低く形成され、水平上面を形成する踏み板ユニットの各々は、第ｎ＋１の片側階段ユニットの、第２の主支柱における下からｎ番目の梁の片側の基端側に位置する側枠・手摺ユニットの下水平部の上面と、第ｎの他側階段ユニットの、第２の主支柱における下からｎ番目の梁の他側の基端側に位置する側枠・手摺ユニットの上水平部の上面をクロスして延在する、請求項５又請求項６記載の組立式階段。
【請求項８】
第ｎの片側階段ユニットの、第１の主支柱における下からｎ番目の梁の片側の先端側に位置する側枠・手摺ユニットの上水平部の上面と、第ｎの他側階段ユニットの、第１の主支柱における下からｎ番目の梁の他側の先端側に位置する側枠・手摺ユニットの下水平部の上面と、第ｎ＋１の片側階段ユニットの、第２の主支柱における下からｎ番目の梁の片側の先端側に位置する側枠・手摺ユニットの下水平部の上面と、第ｎの他側階段ユニットの、第２の主支柱における下からｎ番目の他側の梁の先端側に位置する側枠・手摺ユニットの上水平部には、それぞれ手摺が選択的に一体に固定される、請求項７記載の組立式階段。
【請求項９】
第１の主支柱に対し、第２の主支柱と反対の水平縦方向に間隔をおいた地面上に直立された第１の補助支柱ユニットと、第１の補助支柱ユニット上に順次に離脱自在に連結・支持されて鉛直上方に延ばされる第ｎ＋１の補助支柱ユニットが備えられ、
第１の片側階段ユニットの、第１の主支柱における下から１番目の梁の片側の先端側に位置する側枠・手摺ユニットの上水平部の先端及び第１の他側階段ユニットの、第１の主支柱における下から１番目の梁の他側の先端側に位置する側枠・手摺ユニットの下水平部の先端は、第ｎ＋１の補助支柱ユニットの下端部又は第ｎの補助支柱ユニットの上端部に離脱自在に連結・支持され、
第ｎ＋１の片側階段ユニットの、第１の主支柱における下からｎ＋１番目の梁の片側の先端側に位置する側枠・手摺ユニットの上水平部の先端及び第ｎ＋１の他側階段ユニットの、第１の主支柱における下からｎ＋１番目の梁の他側の先端側に位置する側枠・手摺ユニットの下水平部の先端は、それぞれ対応する第ｎ＋２の補助支柱ユニットの下端部又は第ｎ＋１の補助支柱ユニットの上端部に離脱自在に連結・支持される、請求項５〜８のいずれか１項に記載の組立式階段。
【請求項１０】
第ｎ＋１の補助支柱ユニットの各々は、相互に共通部品から構成される、請求項９記載の組立式階段。
【請求項１１】
第２の主支柱に対し、第１の主支柱と反対の水平縦方向に間隔をおいた地面上に直立された第１の他の補助支柱ユニットと、第１の他の補助支柱ユニット上に順次に離脱自在に連結・支持されて鉛直上方に延ばされる第ｎ＋１の他の補助支柱ユニットが備えられ、
第２の片側階段ユニットの、第２の主支柱における下から１番目の梁の片側の先端側に位置する側枠・手摺ユニットの下水平部の先端及び第１の他側階段ユニットの、第２の主支柱における下から１番目の梁の他側の先端側に位置する側枠・手摺ユニットの上水平部の先端は、第ｎ＋１の他の補助支柱ユニットの下端部又は第ｎの他の補助支柱ユニットの上端部に離脱自在に連結・支持され、
第ｎ＋２の片側階段ユニットの、第２の主支柱における下からｎ＋１番目の梁の片側の先端側に位置する側枠・手摺ユニットの下水平部の先端及び第ｎ＋１の他側階段ユニットの、第２の主支柱における下からｎ＋１番目の梁の他側の先端側に位置する側枠・手摺ユニットの上水平部の先端は、第ｎ＋２の他の補助支柱ユニットの下端部又は第ｎ＋１の他の補助支柱ユニットの上端部に離脱自在に連結・支持される、請求項５〜１０のいずれか１項に記載の組立式階段。
【請求項１２】
第ｎ＋１の他の補助支柱ユニットの各々は、相互に共通部品から構成される、請求項１１記載の組立式階段。
【発明の詳細な説明】
【技術分野】
【０００１】
本発明は、建築物に適用可能な組立式階段に関する。
【背景技術】
【０００２】
踏板フレームと踏板パネルよりなる多数の階段踏板を対向する一対の階段桁間に設置する階段は、例えば特許文献１に開示されている。この階段は、踏板フレームを高剛性枠材の前後枠と該前後枠に架設して外側からネジ固定する厚肉板材の左右側板とによって枠組するとともに少なくとも上記前後桁の対向面にそれぞれ対向方向に向けて上下同一高さ位置に突設した支持突片を備えて平面矩形に形成している。踏板フレームにおける左右側板の対向面からそれぞれネジ固定することによって踏板フレームを上記一対の階段桁間に介設固定し，該踏板フレームにその支持突片に載置して上記踏板パネルを嵌合設置してある。
【特許文献１】特開２００１−２７９８９７号公報
【発明の開示】
【発明が解決しようとする課題】
【０００３】
上記階段によれば、組立が容易かつ確実で十分な強度が確保される、とされている。しかしながら、上記階段においては、階段踏板の構成が複雑である、手摺が階段桁の外側に固定された支柱に設けられているので、階段桁と一体である場合、搬送性、保管性に改良の余地がある、踊り場及びその支柱は建物側に設置してあるので、組立式階段として汎用性に乏しい（多層階の建築物への適用性についての配慮がなされていない）、などの問題を有している。したがって、更なる改良が求められるところである。
【０００４】
本発明の目的は、構成が簡単で組立及び分解が容易、迅速かつ確実で十分な強度が確保されるとともに、搬送性及び保管性に優れ、多層階の建築物へも適用可能である、新規な組立式階段を提供することである。
【課題を解決するための手段】
【０００５】
本発明の一局面によれば、
上下方向に傾斜して延在する傾斜部であって下端が地面上に支持される傾斜部と傾斜部の上端から水平に延在する上水平部とを有する側枠と、側枠における少なくとも傾斜部の上面に一体に固定された手摺とを備えかつ、相互に水平方向に間隔をおいて対向する一対の側枠・手摺ユニットと；側枠・手摺ユニットの各々の側枠における傾斜部及び水平部間に離脱自在に連結された複数の踏み板ユニットと；地面上に直立しかつ側枠・手摺ユニットの各々における上水平部の先端に離脱自在に連結されて上水平部を地面の上方に実質的に水平に支持する支柱ユニットと；からなり、側枠・手摺ユニットの各々における水平部間に離脱自在に連結された踏み板ユニットの各々の上面は、実質的に共通な水平面上に存在する、
ことを特徴とする組立式階段、が提供される。
支柱ユニットは、相互に間隔をおいて対向し平行に直立する一対の支柱と、支柱間を支柱の各々に直角に延在して一体に連結する複数の梁部材と、それぞれ対応する支柱に相互に平行となるよう一端部が回動可能に支持された一対のブレース部材とを備え、ブレース部材の各々は、対応する支柱に沿って延在する折畳位置と、他端部が一端部に対し斜め上方に傾斜する連結位置との間を回動可能であり、ブレース部材の各々は、連結位置に位置付けられて他端部が、対応する側枠・手摺ユニットにおける上水平部の下面に離脱自在に連結される、ことが好ましい。
支柱ユニットは、支柱の各々の上端部間を一体に連結する上端梁部材を備え、手摺は、側枠・手摺ユニットの一方における傾斜部の上面及び上水平部の上面と、側枠・手摺ユニットの他方における傾斜部の上面と、支柱ユニットの上端梁部材の上面とにそれぞれ一体に固定される、又は、側枠・手摺ユニットの各々における傾斜部の上面及び上水平部の上面にそれぞれ一体に固定される、ことが好ましい。
踏み板ユニットは、一定の幅で側枠・手摺ユニットの各々が対向する長手方向に水平に延在する矩形状の基板と、基板の幅方向両側から基板の片面側に直角に延び出す一対の側板とを備えたチャンネル板と、チャンネル板の長手方向両端の側板間を延在するよう基板及び側板に一体に固着された一対の端板と；を有する箱形板金ユニットからなりかつ、箱形板金ユニットの開放側を下に向けて端板の各々が、対応する側枠・手摺ユニットの内側に複数のボルト及びナットにより離脱自在に締結される、ことが好ましい。
踏み板ユニットは、一定の幅で側枠・手摺ユニットの各々が対向する長手方向に水平に延在する矩形状の基板と、基板の幅方向両側から基板の片面側に直角に延び出す一対の側板とを備えたチャンネル板と；、チャンネル板の長手方向両端の側板間を延在するよう基板及び側板に一体に固着された一対の端板とを有する箱形板金ユニットと、端板の各々の内側に固着されかつ一端が開放され他端が閉塞された複数の雌ねじ部材であって、一端が対応する端壁に形成された貫通穴を介して該長手方向外方に開放された複数の雌ねじ部材と、箱形板金ユニットの内側空間に露呈面が平坦となるように充填されたコンクリート又はモルタルとを備えかつ、コンクリート又はモルタルの露呈面を上に向けて端板の各々が、対応する側枠・手摺ユニットの内側に複数のボルトにより離脱自在に締結される、ことが好ましい。
一対の側枠・手摺ユニットの側枠は、横断面がチャンネル形の細長い鋼板からなりかつ、開放側が相互に水平反対方向に向けられており、踏み板ユニットの各々は、対応する側枠・手摺ユニットの側枠の水平方向外側からボルトにより締結される、ことが好ましい。
側枠・手摺ユニットの傾斜部間に連結される少なくとも１個の踏み板ユニットは、少なくとも踏み板ユニットの長手方向両端部において下面から下方に直角に延び出すよう一体に固定された補強部材を有する踏み板ユニットから構成され、補強部材の長手方向両端面は、それぞれ側枠・手摺ユニットの各々の傾斜部に離脱自在に連結される、ことが好ましい。
側枠・手摺ユニットの各々の傾斜部における下端及び／又は支柱ユニットの支柱の各々の下端は、ジャッキ手段を介して地面上に支持される、ことが好ましい。
本発明の他の局面によれば、
水平縦方向に相互に間隔をおいて地面に直立された第１の主支柱及び第２の主支柱が備えられ、第１の主支柱及び第２の主支柱には、水平縦方向に直交する水平横方向両側に水平に延び出す梁が、上下方向に相互に間隔をおいて複数個配設され、第２の主支柱に配設された梁は、それぞれ第１の主支柱に配設された梁の各々の中央の高さに位置付けられ、
第２の主支柱側の地面と第１の主支柱の下から１番目の梁の片側上面との間には、第１の片側階段ユニットが離脱自在に配設され、第２の主支柱の下からｎ番目の梁の片側上面と第１の主支柱の下からｎ＋１番目の梁の片側上面との間には、第ｎ＋１の片側階段ユニットが離脱自在に配設され、
第１の主支柱の下から１番目の梁の他側上面と第２の主支柱の下から１番目の梁の他側上面との間には、第１の他側階段ユニットが離脱自在に配設され、第１の主支柱の下からｎ＋１番目の梁の他側上面と第２の主支柱の下からｎ＋１番目の梁の他側上面との間には、第ｎ＋１の他側階段ユニットが離脱自在に配設され、
第１の片側階段ユニットは、上下方向に傾斜して延在する傾斜部であって下端が地面上に支持される傾斜部と傾斜部の上端から水平に延在する上水平部とを有する側枠と、側枠における少なくとも傾斜部の上面に一体に固定された手摺とを備えかつ、相互に水平方向に間隔をおいて対向する一対の側枠・手摺ユニットと；側枠・手摺ユニットの各々の側枠における傾斜部間に離脱自在に連結された複数の踏み板ユニットと；を備え、
第ｎ＋１の片側階段ユニット及び第ｎの他側階段ユニットは、上下方向に傾斜して延在する傾斜部と傾斜部の下端から水平に延在する下水平部と、傾斜部の上端から水平に延在する上水平部とを有する側枠と；側枠における少なくとも傾斜部の上面に一体に固定された手摺とを備えかつ、相互に水平方向に間隔をおいて対向する一対の側枠・手摺ユニットと；側枠・手摺ユニットの各々の側枠における傾斜部間に離脱自在に連結された複数の踏み板ユニットと；を備え、
第ｎの片側階段ユニットの、第１の主支柱における下からｎ番目の梁の片側の先端側に位置する側枠・手摺ユニットの上水平部と、第ｎの他側階段ユニットの、第１の主支柱における下からｎ番目の梁の他側の先端側に位置する側枠・手摺ユニットの下水平部との間には、複数の踏み板ユニットが水平上面を形成するよう離脱自在に連結され、
第ｎ＋１の片側階段ユニットの、第２の主支柱における下からｎ番目の梁の片側の先端側に位置する側枠・手摺ユニットの下水平部と、第ｎの他側階段ユニットの、第２の主支柱における下からｎ番目の梁の他側の先端側に位置する側枠・手摺ユニットの上水平部との間には、複数の踏み板ユニットが水平上面を形成するよう離脱自在に連結されている、
ことを特徴とする組立式階段、が提供される。
第１の片側階段ユニットを除く片側階段ユニットの各々の少なくとも側枠・手摺ユニット及び踏み板ユニットは、相互に実質的に同じ構成を有しており、他側階段ユニットの各々の少なくとも側枠・手摺ユニット及び踏み板ユニットは、相互に実質的に同じ構成を有している、ことが好ましい。
第ｎの片側階段ユニットの、第１の主支柱における下からｎ番目の梁の片側の基端側に位置する側枠・手摺ユニットの上水平部の上面と第ｎの他側階段ユニットの、第１の主支柱における下からｎ番目の梁の他側の基端側に位置する側枠・手摺ユニットの下水平部の上面は、第ｎの片側階段ユニットの、第１の主支柱における下からｎ番目の梁の片側の先端側に位置する側枠・手摺ユニットの上水平部の上面と第ｎの他側階段ユニットの、第１の主支柱における下からｎ番目の梁の他側の先端側に位置する側枠・手摺ユニットの下水平部の上面よりも低く形成され、水平上面を形成する踏み板ユニットの各々は、第ｎの片側階段ユニットの、第１の主支柱における下からｎ番目の梁の片側の基端側に位置する側枠・手摺ユニットの上水平部の上面と、第ｎの他側階段ユニットの、第１の主支柱における下からｎ番目の梁の他側の基端側に位置する側枠・手摺ユニットの下水平部の上面をクロスして延在し、第ｎ＋１の片側階段ユニットの、第２の主支柱における下からｎ番目の梁の片側の基端側に位置する側枠・手摺ユニットの下水平部の上面と、第ｎの他側階段ユニットの、第２の主支柱における下からｎ番目の梁の他側の基端側に位置する側枠・手摺ユニットの上水平部の上面は、第ｎ＋１の片側階段ユニットの、第２の主支柱における下からｎ番目の梁の片側の先端側に位置する側枠・手摺ユニットの下水平部の上面と、第ｎの他側階段ユニットの、第２の主支柱における下からｎ番目の梁の他側の先端側に位置する側枠・手摺ユニットの上水平部の上面よりも低く形成され、水平上面を形成する踏み板ユニットの各々は、第ｎ＋１の片側階段ユニットの、第２の主支柱における下からｎ番目の梁の片側の基端側に位置する側枠・手摺ユニットの下水平部の上面と、第ｎの他側階段ユニットの、第２の主支柱における下からｎ番目の梁の他側の基端側に位置する側枠・手摺ユニットの上水平部の上面をクロスして延在する、ことが好ましい。
第ｎの片側階段ユニットの、第１の主支柱における下からｎ番目の梁の片側の先端側に位置する側枠・手摺ユニットの上水平部の上面と、第ｎの他側階段ユニットの、第１の主支柱における下からｎ番目の梁の他側の先端側に位置する側枠・手摺ユニットの下水平部の上面と、第ｎ＋１の片側階段ユニットの、第２の主支柱における下からｎ番目の梁の片側の先端側に位置する側枠・手摺ユニットの下水平部の上面と、第ｎの他側階段ユニットの、第２の主支柱における下からｎ番目の他側の梁の先端側に位置する側枠・手摺ユニットの上水平部には、それぞれ手摺が選択的に一体に固定される、ことが好ましい。
第１の主支柱に対し、第２の主支柱と反対の水平縦方向に間隔をおいた地面上に直立された第１の補助支柱ユニットと、第１の補助支柱ユニット上に順次に離脱自在に連結・支持されて鉛直上方に延ばされる第ｎ＋１の補助支柱ユニットが備えられ、第１の片側階段ユニットの、第１の主支柱における下から１番目の梁の片側の先端側に位置する側枠・手摺ユニットの上水平部の先端及び第１の他側階段ユニットの、第１の主支柱における下から１番目の梁の他側の先端側に位置する側枠・手摺ユニットの下水平部の先端は、第ｎ＋１の補助支柱ユニットの下端部又は第ｎの補助支柱ユニットの上端部に離脱自在に連結・支持され、第ｎ＋１の片側階段ユニットの、第１の主支柱における下からｎ＋１番目の梁の片側の先端側に位置する側枠・手摺ユニットの上水平部の先端及び第ｎ＋１の他側階段ユニットの、第１の主支柱における下からｎ＋１番目の梁の他側の先端側に位置する側枠・手摺ユニットの下水平部の先端は、それぞれ対応する第ｎ＋２の補助支柱ユニットの下端部又は第ｎ＋１の補助支柱ユニットの上端部に離脱自在に連結・支持される、ことが好ましい。
第ｎ＋１の補助支柱ユニットの各々は、相互に共通部品から構成される、ことが好ましい。
第２の主支柱に対し、第１の主支柱と反対の水平縦方向に間隔をおいた地面上に直立された第１の他の補助支柱ユニットと、第１の他の補助支柱ユニット上に順次に離脱自在に連結・支持されて鉛直上方に延ばされる第ｎ＋１の他の補助支柱ユニットが備えられ、第２の片側階段ユニットの、第２の主支柱における下から１番目の梁の片側の先端側に位置する側枠・手摺ユニットの下水平部の先端及び第１の他側階段ユニットの、第２の主支柱における下から１番目の梁の他側の先端側に位置する側枠・手摺ユニットの上水平部の先端は、第ｎ＋１の他の補助支柱ユニットの下端部又は第ｎの他の補助支柱ユニットの上端部に離脱自在に連結・支持され、第ｎ＋２の片側階段ユニットの、第２の主支柱における下からｎ＋１番目の梁の片側の先端側に位置する側枠・手摺ユニットの下水平部の先端及び第ｎ＋１の他側階段ユニットの、第２の主支柱における下からｎ＋１番目の梁の他側の先端側に位置する側枠・手摺ユニットの上水平部の先端は、第ｎ＋２の他の補助支柱ユニットの下端部又は第ｎ＋１の他の補助支柱ユニットの上端部に離脱自在に連結・支持される、ことが好ましい。
第ｎ＋１の他の補助支柱ユニットの各々は、相互に共通部品から構成される、ことが好ましい。
【発明を実施するための最良の形態】
【０００６】
以下、本発明に従って構成された組立式階段の好適な実施の形態を、添付図面を参照して詳細に説明する。
【０００７】
図１〜図３を参照して、組立式階段２は、相互に水平方向に間隔をおいて対向する一対の側枠・手摺ユニット４及び６と、複数の踏み板ユニット８と、支柱ユニット１０とから構成される。
【０００８】
側枠・手摺ユニット４は、上下方向に直線状に傾斜して延在する傾斜部１２であって下端が地面上に支持される傾斜部１２と、傾斜部１２の上端から水平に延在する上水平部１４とを有する側枠１６と；側枠１６における少なくとも傾斜部１２の上面、実施形態においては、傾斜部１２の上面に一体に固定された手摺１８と；を備えている。側枠・手摺ユニット６は、上下方向に直線状に傾斜して延在する傾斜部１２であって下端が地面上に支持される傾斜部１２と、傾斜部１２の上端から水平に延在する上水平部１４とを有する側枠１６と；側枠１６における少なくとも傾斜部１２の上面、実施形態においては、傾斜部１２の上面及び上水平部１４の上面に連続して一体に固定された手摺１８と；を備えている。側枠１６の各々は、図５に明示されているように、一定の幅で細長く延在する主板１６Ａと、主板１６Ａの幅方向両側から片面方向に直角に同じ長さだけ延び出すフランジ１６Ｂとからなる、横断面がチャンネル形の細長い鋼板からなりかつ、開放側が相互に水平反対方向に向けられている。側枠１６の各々における主板１６Ａには、踏み板ユニット８を取付けるための取付穴１６Ｃが複数個形成されている（実施形態においては、水平方向に間隔をおいて形成された一対の取付穴１６Ｃが複数対形成されている）。
【０００９】
側枠・手摺ユニット４における手摺１８は、側枠１６の、傾斜部１２及び上水平部１４における上側のフランジ１６Ｂの上面の上方を該上面に平行に延在する手摺部１８Ａと、手摺部１８Ａから該上面に向かって鉛直に延び出す複数の支柱部１８Ｂとを備えている。手摺部１８Ａ及び支柱部１８Ｂは、鋼製の丸パイプからなる。支柱部１８Ｂの各々の下端は、側枠１６の、上側のフランジ１６Ｂの上面に溶接により固着されている。側枠・手摺ユニット６における手摺１８は、側枠１６の、傾斜部１２における上側のフランジ１６Ｂの上面の上方を該上面に平行に延在する手摺部１８Ａと、手摺部１８Ａから該上面に向かって鉛直に延び出す複数の支柱部１８Ｂとを備えている。手摺部１８Ａ及び支柱部１８Ｂは、鋼製の丸パイプからなる。支柱部１８Ｂの各々の下端は、側枠１６の、上側のフランジ１６Ｂの上面に溶接により固着されている。側枠・手摺ユニット４及び６の上記構成は、相互に重ねることができるので、搬送しやすく、また保管上も有利である。
【００１０】
図１及び図６〜図８を参照して、相互に実質的に同じ構成を有する踏み板ユニット８は、一定の幅で側枠・手摺ユニット４及び６が対向する長手方向（図７において左右方向）に水平に延在する矩形状の基板８Ａと、基板８Ａの幅方向両側から基板８Ａの片面側に直角に延び出す一対の側板８Ｂとを備えたチャンネル板８Ｃと、チャンネル板８Ｃの長手方向両端における側板８Ｂ間を延在するよう基板８Ａ及び側板８Ｂに溶接により一体に固着された一対の端板８Ｄとを有する箱形板金ユニット８Ｕからなる。矩形状の端板８Ｄの各々には複数の、実施形態においては２個の取付穴８Ｅが形成されている。踏み板ユニット８の各々は、箱形板金ユニット８Ｕの開放側を下に向けて端板８Ｄの各々が、それぞれ側枠・手摺ユニット４及び６の側枠１６の傾斜部１２及び水平部１４における主板１６Ａの、相互に対向する内側に重合され、相互に整合された取付穴８Ｅ及び１６Ｃの各々を介して、主板１６Ａの水平方向外側から複数のボルト２０及びナット２２（図５）により離脱自在に締結される。側枠・手摺ユニット４及び４の各々における側枠１６の水平部１４間に離脱自在に締結された踏み板ユニット８の各々の上面は、実質的に共通な水平面上に存在する。上記踏み板ユニット８の各々は、構成が著しく簡単で組立の容易性、迅速性、コストダウン、優れた搬送性及び保管性に寄与する。
【００１１】
図１〜図４を参照して、鋼製の支柱ユニット１０は、地面上に直立しかつ側枠・手摺ユニット４及び６の各々における上水平部１４の先端に離脱自在に連結されて上水平部１４を地面の上方に実質的に水平に支持する。更に具体的に説明すると、支柱ユニット１０は、相互に間隔をおいて対向し平行に直立する一対の支柱２４と、支柱２４間を支柱２４の各々に直角に延在して一体に連結する複数の、実施形態においては２個の梁部材２６及び２８と、それぞれ対応する支柱２４に相互に平行となるよう一端部が回動可能に支持された一対のブレース部材２８とを備えている。支柱２４の各々は鋼製の角パイプから形成される。
【００１２】
ブレース部材２８の各々は、対応する支柱２４に沿って延在する折畳位置（不図示）と、他端部が一端部に対し斜め上方に傾斜する連結位置（図１〜図３において２点鎖線で示す位置）との間を回動可能である。ブレース部材２８の各々の他端部には矩形平板状の取付け板３０が一体に固着されている。支柱ユニット１０は、支柱２４の各々の上端部間を一体に連結する上端梁部材２６を備え、上端梁部材２６の上面には、先に述べたのと実質的に同じ構成を有する手摺１８が一体に固定されている。梁部材２８は、支柱２４の下端部間に配設されている。支柱ユニット１０は、構成が著しく簡単で組立の容易性、コストダウン、優れた搬送性及び保管性に寄与する。
【００１３】
ブレース部材２８の各々が、連結位置に位置付けられて他端部の取付け板３０が、それぞれ側枠・手摺ユニット４及び６における上水平部１４の下面（上フランジ１６Ｂ（図５）の上面）に重合され、図示しないボルト＆ナットにより離脱自在に締結される。支柱２４の各々の上端部には、相互に対向する方向と直交する水平方向に軸線を有する複数の取付穴（貫通穴）３２が複数個（実施形態においては３個）形成されている。また、側枠・手摺ユニット４及び６の各々における上水平部１４の先端には、取付穴３２に対応して取付穴３４が形成された取付け板３５が溶接により固着されている。支柱２４の各々の取付穴３２と、対応する上水平部１４の取付け板３５の取付穴３４とが相互に整合され、図示しないボルト＆ナットにより離脱自在に締結される。
【００１４】
上記組立式階段２は、上記したとおり、一対の側枠・手摺ユニット４及び６と、複数の踏み板ユニット８と、支柱ユニット１０とから構成され、ボルト＆ナットにより離脱自在に締結することにより組み立てられるので、構成が簡単で組立及び分解が容易、迅速かつ確実で十分な強度が確保されるとともに、搬送性及び保管性に優れている。上記実施形態において、手摺１８は、側枠・手摺ユニット４の側枠１６における傾斜部１２の上面及び上水平部１４の上面と、側枠・手摺ユニット６の側枠１６における傾斜部１２の上面と、支柱ユニット１０の上端梁部材２６の上面とにそれぞれ一体に固定されているので、図示しない建物への入口は、側枠・手摺ユニット６の側枠１６における上水平部１４側となる。他方、手摺１８を、側枠・手摺ユニット４の側枠１６における傾斜部１２の上面と、側枠・手摺ユニット６の側枠１６における傾斜部１２の上面及び上水平部１４の上面と、支柱ユニット１０の上端梁部材２６の上面とにそれぞれ一体に固定する他の実施形態、あるいはまた、側枠・手摺ユニット４及び６の各々における傾斜部１２の上面及び上水平部１４の上面にそれぞれ一体に固定し、支柱ユニット１０の上端梁部材２６の上面には設けない更に他の実施形態もある。手摺１８を設けない箇所は、一般的に建物への入口となる。
【００１５】
次に踏み板ユニット８の他の実施形態について説明する。図５に図示されている踏み板ユニット８は、箱形板金ユニット８Ｕにおけるチャンネル板８Ｃの片方の側板８Ｂを他方の側板８Ｂよりも長く形成して、下側に取付けられた踏み板ユニット８の奥側に垂下させている。チャンネル板８Ｃの基板８Ａには滑り止め用の突起８Ｆが複数個形成されている。片方の側板８Ｂの垂下部分は、いわゆる蹴込みとして機能する。
【００１６】
図９に図示されている踏み板ユニット８は、箱形板金ユニット８Ｕと、端板８Ｄの各々の内側に固着されかつ一端が開放され他端（箱形板金ユニット８Ｕの内側端）が閉塞された複数の雌ねじ部材３６であって、一端が対応する端壁８Ｄに形成された貫通穴８Ｅ（図６）を介して該長手方向外方に開放された複数の（実施形態においては２個の）雌ねじ部材３６と、箱形板金ユニット８Ｕの内側空間に露呈面が平坦となるように充填されたコンクリート又はモルタル３８とを備えかつ、コンクリート又はモルタル３８の露呈面を上に向けて端板８Ｄの各々が、対応する側枠・手摺ユニット４又は６側枠１６の内側に複数のボルト２０により離脱自在に締結される。コンクリート又はモルタル３８は、もちろん、箱形板金ユニット８Ｕの内側空間を上方に向けた状態で充填される。鉄筋は必要に応じて配設される。図示の実施形態において、踏み板ユニット８の段鼻には、滑り止め兼蹴込み部材４０が配設されている。滑り止め兼蹴込み部材４０は、一定の幅で箱形板金ユニット８Ｕの長手方向の一端から他端まで延在しかつ表面に滑り止め用の凹凸が形成された平面矩形状の滑り止め部４０Ａと、滑り止め部４０Ａの幅方向の一側から裏面側に垂下する蹴込み部４０Ｂとからなり、全体としてほぼアングル形状をなしている。滑り止め部４０Ａには、一対の抜止突条４０Ｃが裏面から延び出すよう形成されている。アルミニウムなどの金属あるいは適宜の合成樹脂から形成することができる抜止突条４０Ｃの各々は、滑り止め部４０Ａの長手方向のほぼ全域にわたって形成され、コンクリート又はモルタル３８内に埋設される。
【００１７】
図１１に図示されている踏み板ユニット８は、図９に示す踏み板ユニット８の滑り止め兼蹴込み部材４０に代えて、複数のタイル又は石材４２を接着したもので、その他の構成は、図９に示す踏み板ユニット８と実質的に同じであるので、同一部分を同一符号で示し、説明は省略する。踏み板ユニット８の段鼻に配設されたタイル又は石材４２は、滑り止め兼蹴込み部材４０と同様にほぼアングル形状をなしかる表面に滑り止め用の凹凸が形成されている。コンクリート又はモルタル３８の他の露呈面を覆う他のタイル又は石材４２は、矩形平板状をなしている。図９〜図１１を参照して説明した上記踏み板ユニット８の各々も、構成が簡単で組立の容易性、コストダウン、優れた搬送性及び保管性に寄与するとともに騒音の発生を防止し、美観を向上させる。
【００１８】
図１２に図示されている踏み板ユニット８は、図９に示す踏み板ユニット８（箱形板金ユニット８Ｕの内側空間にコンクリート又はモルタル３８が充填されている）と実質的に同じ構成を有しており、この踏み板ユニット８には、基板８Ａの下面から直角に下方に延び出しかつ踏み板ユニット８の長手方向に延在する補強部材４４が一体に固定されている。補強部材４４は、一定の幅で細長く延在する主板４６Ａと、主板４６Ａの幅方向両側から片面方向に直角に同じ長さだけ延び出すフランジ４６Ｂとからなる、横断面がチャンネル形の細長い鋼板４６と、鋼板４６の長手方向両端に溶接により固着された矩形状の端板４８とからなる。端板４８には２個の取付穴４８Ａが形成されている。補強部材４４は、上側のフランジ４６Ｂの上面が踏み板ユニット８の基板８Ａの下面に重合された状態で溶接により固着される。
【００１９】
図１及び図１２を参照して、側枠・手摺ユニット４及び６の傾斜部１２間に連結される少なくとも１個の踏み板ユニット８は、補強部材４４が固着された上記踏み板ユニット８から構成されることが好ましい（例えば、傾斜部１２の各々における上端部及び／又は下端部に配設される踏み板ユニット８、中間部に配設される踏み板ユニット８など）。補強部材４４の長手方向両端面は、それぞれ側枠・手摺ユニット４及び６の傾斜部１２の側枠１６に図示しないボルト＆ナットにより離脱自在に締結される。このような構成は、側枠・手摺ユニット４及び６のゆがみを防止する。補強部材４４を、基板８Ａの長手方向両端部の下面に固着したアングル形の鋼板から構成する他の実施形態もある。
【００２０】
図１を参照して、側枠・手摺ユニット４及び６の各々の傾斜部１２における側枠１６の下端及び／又は支柱ユニット１０の支柱２４の各々の下端は、ジャッキ手段を介して地面上に支持することが好ましい。ジャッキ手段は、ベース板５０と、ベース板５０の中央から直立した雄ねじ部材５２とからなるジャッキ部材５４と；側枠１６の下端部及び／又は支柱ユニット１０の支柱２４の各々の下端部に形成された図示しない雌ねじ部と；からなる。側枠１６の各々の下端部は鉛直下方に延びるよう形成され、フランジ１６Ｂ間に水平に延在する板を固定して、該板に雌ねじ部が形成される。また支柱ユニット１０の支柱２４の各々の下端部に板を固定して、該板に雌ねじ部が形成される。このような構成は、組立式階段２を、地面上に容易かつ正確に設置することを可能にする。なお、ジャッキ手段に代えて上記下端を、地面に配設した基礎（不図示）上にボルトにより離脱自在に締結してもよい。この場合、側枠１６の各々の下端部は鉛直下方に延びるよう形成され、フランジ１６Ｂ間に水平に延在する板を固定して、該板に取付穴が形成される。また、支柱ユニット１０の支柱２４の各々の下端部に複数の取付穴を有する基板が固定される。
【００２１】
上記組立式階段２の構成は、多層階の建築物（すなわち多層階の組立式階段）に適用可能である。図１３〜図１７を参照して、多層階の組立式階段１００は、水平縦方向（図１５及び図１７において左右方向）に相互に間隔をおいて地面Ｇに直立された第１の主支柱１０２及び第２の主支柱１０４を備えている。第１の主支柱１０２には、水平縦方向に直交する水平横方向（図１４及び図１６において左右方向、図１５及び図１７において紙面に垂直な方向）両側に水平に同じ長さだけ延び出す梁１０２−１（下から１番目の梁）、１０２−２（下から２番目の梁）、１０２−３（下から３番目の梁）・・・１０２−ｎ（下からｎ番目の梁）が、下から上に向かってこの順に、上下方向に相互に等間隔をおいて複数個配設されている。また第２の主支柱１０４には、水平縦方向に直交する水平横方向両側に、それぞれ同じ長さだけ水平に延び出す梁１０４−１（下から１番目の梁）、１０４−２（下から２番目の梁）、１０４−３（下から３番目の梁）・・・１０４−ｎ（下からｎ番目の梁）が、下から上に向かってこの順に、上下方向に相互に等間隔をおいて複数個配設されている。なお、ｎは正の整数である（以下の記載についても同じ）。
【００２２】
第１の主支柱１０２及び第２の主支柱１０４は、共通部品であるＨ鋼（ウェブと、ウェブの両端に直交するよう配設されたフランジとからなる）から形成されている。第１の主支柱１０２の下端には、基板１０２Ｂが第１の主支柱１０２に対し直交するように固着され、基板１０２Ｂは、地面Ｇに配設された基礎Ｂ１に複数のボルト１０６により離脱自在に締結されている。第２の主支柱１０４の下端には、基板１０４Ｂが第２の主支柱１０４に対し直交するように固着され、基板１０４Ｂは、地面Ｇに配設された基礎Ｂ２に複数のボルト１０６により離脱自在に締結されている。相互に鉛直にかつ平行に直立した第１の主支柱１０２及び第２の主支柱１０４は、各々の一方のフランジの外表面同士が相互に水平縦方向に向き合うよう位置付けられている。
【００２３】
梁１０２−１、１０２−２、１０２−３・・・１０２−ｎ及び梁１０４−１、１０４−２、１０４−３・・・１０４−ｎは、共通部品であるＨ鋼から形成されている。梁１０２−１、１０２−２、１０２−３・・・１０２−ｎは、第１の主支柱１０２の、第２の主支柱１０４に対し水平縦方向における反対側に位置するフランジに、それぞれ上下方向に相互に等間隔をおいて固着されたアングル形の横断面形状を有する支持板１０８の上面に下側のフランジが載置され、複数のボルト＆ナットにより離脱自在に締結される。梁１０２−１はまた、第１の主支柱１０２の該フランジに、梁１０２−１の相互に対向する片側のフランジ先端部間に固着された取付け板を重合して複数のボルト＆ナットにより離脱自在に締結される。他の梁１０２−２、１０２−３・・・１０２−ｎも同様にして、第１の主支柱１０２の該フランジに複数のボルト＆ナットにより離脱自在に締結される。
【００２４】
梁１０４−１、１０４−２、１０４−３・・・１０４−ｎは、第２の主支柱１０２の、第１の主支柱１０２に対し水平縦方向における反対側に位置するフランジに、それぞれ上下方向に相互に等間隔をおいて固着されたアングル形の横断面形状を有する支持板１０８の上面に下側のフランジが載置され、複数のボルト＆ナットにより離脱自在に締結される。梁１０４−１はまた、第２の主支柱１０４の該フランジに、梁１０４−１の相互に対向する片側のフランジ先端部間に固着された取付け板を重合して複数のボルト＆ナットにより離脱自在に締結される。他の梁１０４−２、１０４−３・・・１０４−ｎも同様にして、第２の主支柱１０４の該フランジに複数のボルト＆ナットにより離脱自在に締結される。第２の主支柱１０４に配設された梁１０４−１、１０４−２、１０４−３・・・１０４−ｎは、それぞれ第１の主支柱１０２に配設された梁１０２−１、１０２−２、１０２−３・・・１０２−ｎの各々の中央の高さに位置付けられる。
【００２５】
具体的に説明すると、梁１０２−１は、地面Ｇから所定の高さに位置している。梁１０４−１は、梁１０２−１と１０２−２との間の真中の高さに位置し、梁１０４−２は、梁１０２−２と１０２−３との間の真中の高さに位置し、梁１０４−３は、梁１０２−３と１０２−４（不図示）との間の真中の高さに位置する。包括的に表現すると、梁１０４−ｎは、梁１０２−ｎと１０２−（ｎ＋１）との間の真中の高さに位置する。実施形態において、梁１０２−１の上面から梁１０４−１の上面までの高さと、梁１０４−１の上面から梁１０２−２の上面までの高さと、梁１０２−２の上面から梁１０４−２の上面までの高さと、梁１０４−２の上面から梁１０２−３の上面までの高さは、それぞれ実質的に均しく設定されている。包括的に表現すると、梁１０２−ｎの上面から梁１０４−ｎの上面までの高さと、梁１０４−ｎの上面から梁１０２−（ｎ＋１）の上面までの高さは、それぞれ実質的に均しく設定されている。
【００２６】
第２の主支柱１０４側の地面Ｇと第１の主支柱１０２の下から１番目の梁１０２−１の片側１０２−１ａ上面との間には、第１の片側階段ユニット１Ｕａが離脱自在に配設される。また第２の主支柱１０４の下からｎ番目の梁１０４−ｎの片側１０４−ｎａ上面と第１の主支柱１０２の下からｎ＋１番目の梁１０２−（ｎ＋１）の片側１０２−（ｎ＋１）ａ上面との間には、第ｎ＋１の片側階段ユニット（ｎ＋１）Ｕａが離脱自在に配設される。具体的に説明すると、第２の主支柱１０４の下から１番目の梁１０４−１の片側１０４−１ａ上面と第１の主支柱の下から２番目の梁１０２−２の片側１０２−２ａ上面との間には、第２の片側階段ユニット２Ｕａが離脱自在に配設されている。第２の主支柱１０４の下から２番目の梁１０４−２の片側１０４−２ａ上面と第１の主支柱１０２の下から３番目の梁１０２−３の片側１０２−３ａ上面との間には、第３の片側階段ユニット３Ｕａが離脱自在に配設される。このようにして片側階段ユニットが順次配設される。
【００２７】
他方、第１の主支柱１０２の下から１番目の梁１０２−１の他側１０２−１ｂ上面と第２の主支柱１０４の下から１番目の梁１０４−１の他側１０４−１ｂ上面との間には、第１の他側階段ユニット１Ｕｂが離脱自在に配設される。また第１の主支柱１０２の下からｎ＋１番目の梁１０２−（ｎ＋１）の他側１０２−（ｎ＋１）ｂ上面と第２の主支柱の下からｎ＋１番目の梁１０４−（ｎ＋１）の他側１０４−（ｎ＋１）ｂ上面との間には、第ｎ＋１の他側階段ユニット（ｎ＋１）Ｕｂが離脱自在に配設される。具体的に説明すると、第１の主支柱１０２の下から２番目の梁１０２−２の他側１０２−２ｂ上面と第２の主支柱１０４の下から２番目の梁１０４−２の他側１０４−２ｂ上面との間には、第２の他側階段ユニット２Ｕｂが離脱自在に配設される。第１の主支柱１０２の下から３番目の梁１０２−３の他側１０２−３ｂ上面と第２の主支柱１０４の下から３番目の梁１０４−３の他側１０４−３ｂ上面との間には、第３の他側階段ユニット３Ｕｂが離脱自在に配設される。このようにして他側階段ユニットが順次配設される。
【００２８】
図１３、図１５、図１７、図２０及び図２１を参照して、第１の片側階段ユニット１Ｕａは、相互に水平横方向に間隔をおいて対向する一対の側枠・手摺ユニット１１０及び１１２と、複数の踏み板ユニット８とを備えている。側枠・手摺ユニット１１０は、第１の主支柱１０２に対し水平横方向における外側（遠い側）に位置し、側枠・手摺ユニット１１２は、第１の主支柱１０２に対し水平横方向における内側（近い側）に位置する。側枠・手摺ユニット１１０及び１１２は、それぞれ上下方向に傾斜して延在する傾斜部１１４であって下端が地面Ｇ上に支持される傾斜部１１４と、傾斜部１１４の上端から水平に延在する上水平部１１５とを有する側枠１１６と、側枠１１６における少なくとも傾斜部１１４の上面に一体に固定された手摺１１７とを備えている。手摺１１７は、側枠・手摺ユニット１１０においては、側枠１１６における傾斜部１１４及び上水平部１１５の上面に連続して一体に固定され、側枠・手摺ユニット１１２においては、側枠１１６における傾斜部１１４の上面に一体に固定されている。踏み板ユニット８は、側枠・手摺ユニット１１０及び１１２の各々の側枠１１６における傾斜部１１４間に離脱自在に連結されている。
【００２９】
側枠・手摺ユニット１１２の上水平部１１５の上面は、側枠・手摺ユニット１１０の上水平部１１５の上面よりも低く形成されている。側枠・手摺ユニット１１０及び１１２の、この構成以外の基本的構成は、それぞれ図１に示す組立式階段２における側枠・手摺ユニット４及び６と実質的に同じであるので、説明は省略する。踏み板ユニット８は、組立式階段２における踏み板ユニット８（図６〜図１２を参照して説明した踏み板ユニット８）のいずれかを使用することでよい。第１の片側階段ユニット１Ｕａは、側枠・手摺ユニット１１０及び１１２の側枠１１６における上水平部１１５の基端部（傾斜部１１６の上端近傍領域）の下面が、第１の主支柱１０２の下から１番目の梁１０２−１の片側１０２−１ａ上面に載置され、複数のボルト＆ナットにより離脱自在に締結される（図１４、図１５、図１８及び図１９参照）。側枠・手摺ユニット１１２の側枠１１６における傾斜部１１６の上端部は、第１の主支柱１０２に複数のボルト＆ナットにより離脱自在に締結される（図１４）。第１の主支柱１０２の対応するフランジ間には取付穴が形成された取付板が固着され、取付穴が形成された、傾斜部１１６の主板と重合されて複数のボルト＆ナットにより離脱自在に締結される。他の側枠・手摺ユニット１２２、１３２と、第１の主支柱１０２及び第２の主支柱１０４との連結も同様にして行われる。
【００３０】
図１３、図１５、図１７、図２２及び図２３を参照して、第ｎ＋１の片側階段ユニット、すなわち、第２の片側階段ユニット２Ｕａ、第３の片側階段ユニット３Ｕａ・・・第ｎ＋１の片側階段ユニットｎ＋１Ｕａは、相互に実質的に共通部品から構成することができるので、それらを代表して、第２の片側階段ユニット２Ｕａについて説明する。
【００３１】
第２の片側階段ユニット２Ｕａは、相互に水平横方向に間隔をおいて対向する一対の側枠・手摺ユニット１２０及び１２２と、複数の踏み板ユニット８とを備えている。側枠・手摺ユニット１２０は、第１の主支柱１０２及び第２の主支柱１０４に対し水平横方向における外側（遠い側）に位置し、側枠・手摺ユニット１２２は、第１の主支柱１０２及び第２の主支柱１０４に対し水平横方向における内側（近い側）に位置する。側枠・手摺ユニット１２０及び１２２は、それぞれ上下方向に傾斜して延在する傾斜部１２４と、傾斜部１２４の下端から水平に延在する下水平部１２５と、傾斜部１２４の上端から水平に延在する上水平部１２６とを有する側枠１２７と、側枠１２７における少なくとも傾斜部１２４の上面に一体に固定された手摺１２８とを備えている。手摺１２８は、側枠・手摺ユニット１２０においては、側枠１２７における下水平部１２５、傾斜部１２４及び上水平部１２６の上面に連続して一体に固定され、側枠・手摺ユニット１２２においては、側枠１２７における傾斜部１２４の上面に一体に固定されている。手摺１２８は、下水平部１２５及び上水平部１２６に関して必要でない場合（例えば建物の入口に面した場合など）、設置されないことはいうまでもない。踏み板ユニット８は、側枠・手摺ユニット１２０及び１２２の各々の側枠１２７における傾斜部１２４間に離脱自在に連結されている。
【００３２】
側枠・手摺ユニット１２２の下水平部１２５の上面は、側枠・手摺ユニット１２０の下水平部１２５の上面よりも低く形成され、側枠・手摺ユニット１２２の上水平部１２６の上面は、側枠・手摺ユニット１２０の上水平部１２６の上面よりも低く形成されている。側枠・手摺ユニット１２０及び１２２の下水平部１２５を含む構成及び上水平部１２６の上面の高さ違いの構成以外の基本的構成は、それぞれ図１に示す組立式階段２における側枠・手摺ユニット４及び６と実質的に同じであるので、説明は省略する。また踏み板ユニット８は、組立式階段２における踏み板ユニット８（図６〜図１２を参照して説明した踏み板ユニット８）のいずれかを使用することでよい。第２の片側階段ユニット２Ｕａは、側枠・手摺ユニット１２０及び１２２の側枠１２７における下水平部１２５の基端部（傾斜部１２４の下端近傍領域）の下面が、第２の主支柱１０４の下から１番目の梁１０４−１の片側１０４−１ａ上面に載置され、また上水平部１２６の基端部（傾斜部１２４の上端近傍領域）の下面が、第１の主支柱１０２の下から２番目の梁１０２−２の片側１０２−２ａ上面に載置され、それぞれ複数のボルト＆ナットにより離脱自在に締結される（図１４〜図１６及び図１８参照）。側枠・手摺ユニット１２２の側枠１２７における傾斜部１２４の下端部は第２の主支柱１０４に、また上端部は第１の主支柱１０２に、それぞれ複数のボルト＆ナットにより離脱自在に締結される（図１４、図１６）。
【００３３】
図１３、図１５、図１７、図２４及び図２５を参照して、第ｎの他側階段ユニット、すなわち、第１の他側階段ユニット１Ｕｂ、第２の他側階段ユニット２Ｕｂ・・・第ｎの他側階段ユニットｎＵｂは、相互に実質的に共通部品から構成することができるので、それらを代表して、第１の他側階段ユニット１Ｕｂについて説明する。
【００３４】
第１の他側階段ユニット１Ｕｂは、相互に水平横方向に間隔をおいて対向する一対の側枠・手摺ユニット１３０及び１３２と、複数の踏み板ユニット８とを備えている。なお、図２４及び図２５において、側枠・手摺ユニット１３０及び１３２は、図１５及び図１７において裏面側から見た図である。側枠・手摺ユニット１３０は、第１の主支柱１０２及び第２の主支柱１０４に対し水平横方向における外側（遠い側）に位置し、側枠・手摺ユニット１３２は、第１の主支柱１０２及び第２の主支柱１０４に対し水平横方向における内側（近い側）に位置する。側枠・手摺ユニット１３０及び１３２は、それぞれ上下方向に傾斜して延在する傾斜部１３４と、傾斜部１３４の下端から水平に延在する下水平部１３５と、傾斜部１３４の上端から水平に延在する上水平部１３６とを有する側枠１３７と、側枠１３７における少なくとも傾斜部１３４の上面に一体に固定された手摺１３８とを備えている。手摺１３８は、側枠・手摺ユニット１３０においては、側枠１３７における下水平部１３５、傾斜部１３４及び上水平部１３６の上面に連続して一体に固定され、側枠・手摺ユニット１３２においては、側枠１３７における傾斜部１３４の上面に一体に固定されている。手摺１３８は、下水平部１３５及び上水平部１３６に関して必要でない場合（例えば建物の入口に面した場合など）、設置されないことはいうまでもない。踏み板ユニット８は、側枠・手摺ユニット１３０及び１３２の各々の側枠１３７における傾斜部１３４間に離脱自在に連結されている。
【００３５】
側枠・手摺ユニット１３２の下水平部１３５の上面は、側枠・手摺ユニット１３０の下水平部１３５の上面よりも低く形成され、側枠・手摺ユニット１３２の上水平部１３６の上面は、側枠・手摺ユニット１３０の上水平部１３６の上面よりも低く形成されている。側枠・手摺ユニット１３０及び１３２の下水平部１３５を含む構成及び上水平部１３６の上面の高さ違いの構成以外の基本的構成は、それぞれ図１に示す組立式階段２における側枠・手摺ユニット４及び６と実質的に同じであるので、説明は省略する。また踏み板ユニット８は、組立式階段２における踏み板ユニット８（図６〜図１２を参照して説明した踏み板ユニット８）のいずれかを使用することでよい。第１の他側階段ユニット１Ｕｂは、側枠・手摺ユニット１３０及び１３２の側枠１３７における下水平部１３５の基端部（傾斜部１３４の下端近傍領域）の下面が、第１の主支柱１０２の下から１番目の梁１０２−１の他側１０２−１ｂ上面に載置され、また上水平部１３６の基端部（傾斜部１３４の上端近傍領域）の下面が、第２の主支柱１０４の下から１番目の梁１０４−１の他側１０４−１ｂ上面に載置され、それぞれ複数のボルト＆ナットにより離脱自在に締結される（図１４〜図１６、図１８及び図１９参照）。側枠・手摺ユニット１３２の側枠１３７における傾斜部１３４の下端部は、第２の主支柱１０４に、また上端部は第１の主支柱１０２に、それぞれ複数のボルト＆ナットにより離脱自在に締結される（図１４、図１６）。
【００３６】
図１５、図２０〜図２５を参照して、第ｎの片側階段ユニットｎＵａ（第１の片側階段ユニット１Ｕａ、第２の片側階段ユニット２Ｕａ、第３の片側階段ユニット３Ｕａ・・・）の、第１の主支柱１０２における梁の片側１０２−ｎａ（１０２−１ａ、１０２−２ａ、１０２−３ａ・・・）の先端側に位置する側枠・手摺ユニット１１０、１２０、１２０・・・の上水平部１１５、１２６、１２６・・・と、第ｎの他側階段ユニットｎＵｂ（第１の他側階段ユニット１Ｕｂ、第２の他側階段ユニット２Ｕｂ、第３の他側階段ユニット３Ｕｂ・・・）の、第１の主支柱１０２における梁の他側１０２−ｎｂ（１０２−１ｂ、１０２−２ｂ、１０２−３ｂ・・・）の先端側に位置する側枠・手摺ユニット１３０、１３０・・・の下水平部１３５、１３５・・・との間には、それぞれ複数の踏み板ユニット８が水平上面を形成するよう離脱自在に連結される。水平上面を形成する踏み板ユニット８の各々は、第ｎの片側階段ユニットｎＵａ（第１の片側階段ユニット１Ｕａ、第２の片側階段ユニット２Ｕａ、第３の片側階段ユニット３Ｕａ・・・）の、第１の主支柱１０２における梁の片側１０２−ｎａ（１０２−１ａ、１０２−２ａ、１０２−３ａ・・・）の基端側に位置する側枠・手摺ユニット１１２、１２２、１２２・・・の上水平部１１５、１２６、１２６・・・の上面と、第ｎの他側階段ユニットｎＵｂ（第１の他側階段ユニット１Ｕｂ、第２の他側階段ユニット２Ｕｂ、第３の他側階段ユニット３Ｕｂ・・・）の、第１の主支柱１０２における梁の他側１０２−ｎｂ（１０２−１ｂ、１０２−２ｂ、１０２−３ｂ・・・）の基端側に位置する側枠・手摺ユニット１３２、１３２・・・の下水平部１３５、１３５・・・の上面をクロスして延在する。この上面は踊り場を形成する。なお、踏み板ユニット８が、第１の片側階段ユニット１Ｕａの側枠・手摺ユニット１１０及び１１２の傾斜部１１６の上端と上水平部１１５との境界に跨った場合には、上水平部１１５の高さ違いにより踏み板ユニット８の幅方向の一部をカットした形状に修正して対処することになる。他の階段ユニットについても同じことがいえる。
【００３７】
図１５及び図２２〜図２５を参照して、第ｎ＋１の片側階段ユニット（ｎ＋１Ｕａ）（第２の片側階段ユニット２Ｕａ、第３の片側階段ユニット３Ｕａ、第４の片側階段ユニット４Ｕａ・・・）の、第２の主支柱１０４における梁の片側１０４−１ａ、１０４−２ａ・・・の先端側に位置する側枠・手摺ユニット１２０、１２０・・・の下水平部１２５と、第ｎの他側階段ユニットｎＵｂ（第１の他側階段ユニット１Ｕｂ、第２の他側階段ユニット２Ｕｂ、第３の他側階段ユニット３Ｕｂ・・・）の、第２の主支柱１０４における梁の他側１０４−１ｂ、１０４−２ｂ・・・の先端側に位置する側枠・手摺ユニット１３０の上水平部１３６との間には、複数の踏み板ユニット８が水平上面を形成するよう離脱自在に連結されている。水平上面を形成する踏み板ユニット８の各々は、第ｎ＋１の片側階段ユニット（ｎ＋１Ｕａ）（第２の片側階段ユニット２Ｕａ、第３の片側階段ユニット３Ｕａ、第４の片側階段ユニット４Ｕａ・・・）の、第２の主支柱１０４における梁の片側１０４−１ａ、１０４−２ａ・・・の基端側に位置する側枠・手摺ユニット１２２，１２２・・・の下水平部１２５の上面と、第ｎの他側階段ユニットｎＵｂ（第１の他側階段ユニット１Ｕｂ、第２の他側階段ユニット２Ｕｂ、第３の他側階段ユニット３Ｕｂ・・・）の、第２の主支柱１０４における梁の他側１０４−１ｂ、１０４−２ｂ・・・の基端側に位置する側枠・手摺ユニット１３２、１３２・・の上水平部１３６の上面をクロスして延在する。この上面は踊り場を形成する。
【００３８】
第１の片側階段ユニット１Ｕａを除く片側階段ユニットｎ＋１Ｕａ（２Ｕａ、３Ｕａ、４Ｕａ・・・）の各々の少なくとも側枠・手摺ユニット１２０及び１２２と踏み板ユニット８は、相互に実質的に同じ構成を有している。また、他側階段ユニットｎＵｂ（２Ｕｂ、３Ｕｂ、４Ｕｂ・・・）の各々の少なくとも側枠・手摺ユニット１３０及び１３２と踏み板ユニット８は、相互に実質的に同じ構成を有している。このような部品の共通化は、組立式階段１００の組立の容易化、迅速化、コストダウンに寄与する。
【００３９】
図１３、図１５及び図１７を参照して、組立式階段１００には、第１の補助支柱ユニット１４１と、第１の補助支柱ユニット１４１上に順次に離脱自在に連結・支持されて鉛直上方に延ばされる第ｎ＋１の補助支柱ユニット（第２の補助支柱ユニット１４２、第３の補助支柱ユニット１４３・・・）が備えられている。第１の補助支柱ユニット１４１は、第１の主支柱１０２に対し、第２の主支柱１０４と反対の水平縦方向に間隔をおいた地面上に直立される。
【００４０】
図２６及び図２７を参照して、鋼製の第１の補助支柱ユニット１４１は、相互に間隔をおいて対向し平行に直立する一対の支柱１５０と、支柱１５０の上端部及び下端部間を支柱１５０の各々に直角に延在して一体に連結する複数の、実施形態においては２個の梁部材１５２とを備えている。支柱１５０の各々は鋼製の角パイプから形成され、各々の下端には、鋼板製の基板１５１が各々に直交するよう溶接により固着されている。支柱１５０の各々の上端には、支柱１５０の各々の横断面と同形の矩形状の支持板１５３が各々に直交するよう溶接により固着され、支持板１５３の各々中央には雄ねじ部材１５４が溶接により直立して固着されている。梁部材１５２の各々は鋼製の丸パイプから形成され、両端がそれぞれ対応する支柱１５０に溶接により固着されている。図１５、図１７及び図１８に示されているように、第１の補助支柱ユニット１４１は、支柱１５０の各々の基板１５１を介して地面Ｇの基礎Ｂ３に複数のボルトにより離脱自在に締結される。
【００４１】
第ｎ＋１の補助支柱ユニット（第２の補助支柱ユニット１４２、第３の補助支柱ユニット１４３・・・）は相互に共通部品から構成されているので、以下、それらを代表して第２の補助支柱ユニット１４２について説明する。なお、第ｎ＋１の補助支柱ユニット（第２の補助支柱ユニット１４２、第３の補助支柱ユニット１４３・・・）を相互に共通部品から構成することは、組立式階段１００の組立の容易化、迅速化、コストダウンに寄与する。
【００４２】
図２６及び図２７を参照して、鋼製の第２の補助支柱ユニット１４２は、相互に間隔をおいて対向し平行に直立する一対の支柱１６０と、支柱１６０間を支柱１６０の各々に直角に延在して一体に連結する複数の、実施形態においては２個の梁部材１６２及び１６４とを備えている。支柱１６０の各々は鋼製の角パイプから形成されている。鋼製の丸パイプから形成されている梁部材１６２は、支柱１６０の各々の上端部間に配置され、両端が対応する支柱１６０の内側面に溶接により固着されている。梁部材１６４は、ウェブ１６４Ｗと、ウェブ１６４Ｗの上端及び下端からそれぞれ同方向に直角に延び出す上フランジ１６４Ｕ及び下フランジ１６４Ｌとからなる、横断面がチャンネル形の細長い鋼板から形成され、支柱１６０の各々の下端間を延在している。ウェブ１６４Ｗの両端部及び中央部にはそれぞれ複数の取付穴１６４ｈが形成され、下フランジ１６４Ｌの両端部には、１個の取付穴１６４ｈが形成されている。支柱１６０の各々の下端は、それぞれ梁部材１６４の上フランジ１６４Ｕにおける両端部の上面に溶接により固着されている。支柱１６０の各々の中央よりも下方領域間であって梁部材１６４の上フランジ１６４Ｕの上面には、手摺１６６が溶接により一体に固着されている。手摺１６６の手摺部１６６Ａの両端は、対応する支柱１６０の内側に固着されている。手摺１６６は、先に述べた手摺１８（図１）と同じ構成でよい。支柱１６０の各々の上端には、支柱１６０の各々の横断面と同形の矩形状の支持板１６７が溶接により固着され、支持板１６７の各々中央には雄ねじ部材１６８が溶接により直立して固着されている。
【００４３】
第２の補助支柱ユニット１４２は、梁部材１６４の下フランジ１６４Ｌの両端部に形成された取付穴１６４ｈが、第１の補助支柱ユニット１４１の、対応する支柱１５０の上端に直立された雄ねじ部材１５４に嵌合されて、梁部材１６４の下フランジ１６４Ｌの両端部下面が、第１の補助支柱ユニット１４１の支柱１５０の上端面（支持板１５３の上面）に重合される。梁部材１６４の下フランジ１６４Ｌの両端部に形成された取付穴１６４ｈから突出した、対応する支柱１５０の上端に直立された雄ねじ部材１５４に図示しないナットがねじ係合され、第２の補助支柱ユニット１４２における梁部材１６４の両端部が、それぞれ第１の補助支柱ユニット１４１の支柱１５０の各々の上端に離脱自在に締結される。同じ如くして、第２の補助支柱ユニット１４２の上に第３の補助支柱ユニット１４３が、第ｎの補助支柱ユニットの上に第ｎ＋１の補助支柱ユニットが順次に重合・連結されてゆく（図１３〜図１５、図１７及び図１８参照）。このような構成は、組立式階段１００の組立の容易化、迅速化、コストダウンに寄与する。
【００４４】
図１４及び図１５を参照して、第１の片側階段ユニット１Ｕａの、第１の主支柱１０２における梁１０２−１の片側１０２−１ａの先端側に位置する側枠・手摺ユニット１１０の上水平部１１５の先端及び第１の他側階段ユニット１Ｕｂの、第１の主支柱１０２における梁１０２−１の他側１０２−１ｂの先端側に位置する側枠・手摺ユニット１３０の下水平部１３５の先端は、第２の補助支柱ユニット１４２の下端部（梁部材１６４の両端部）にボルト＆ナットにより離脱自在に連結・支持される。
【００４５】
第２の片側階段ユニット２Ｕａの、第１の主支柱１０２における梁１０２−２の片側１０２−２ａの先端側に位置する側枠・手摺ユニット１２０の上水平部１２６の先端及び第２の他側階段ユニット２Ｕｂの、第１の主支柱１０２における梁１０２−２の他側１０２−２ｂの先端側に位置する側枠・手摺ユニット１３０の下水平部１３５の先端は、第３の補助支柱ユニット１４３の下端部（梁部材１６４の両端部）にボルト＆ナットにより離脱自在に連結・支持される。
【００４６】
このようにして、第ｎ＋１の片側階段ユニット（２Ｕａ、３Ｕａ・・・）の、第１の主支柱１０２における下からｎ＋１番目の梁（１０２−２、１０２−３・・・）の片側（１０２−２ａ、１０２−３ａ・・・）の先端側に位置する側枠・手摺ユニット（１２０、１２０・・・）の上水平部（１２６、１２６・・・）の先端及び第ｎ＋１の他側階段ユニット（２Ｕｂ、３Ｕｂ・・・）の、第１の主支柱１０２における下からｎ＋１番目の梁（１０２−２、１０２−３・・・）の他側（１０２−２ｂ、１０２−３ｂ・・・）の先端側に位置する側枠・手摺ユニット（１３０、１３０・・・）の下水平部１３５の先端は、それぞれ対応する第ｎ＋２の補助支柱ユニット（１４３、１４４・・・）の下端部（梁部材１６４の両端部）にボルト＆ナットにより離脱自在に連結・支持される。このような構成は、組立式階段１００の組立の容易化、迅速化、コストダウンに寄与する。
【００４７】
図１３及び図１５〜図１７を参照して、組立式階段１００には、第１の他の補助支柱ユニット１７１と、第１の他の補助支柱ユニット１７１上に順次に離脱自在に連結・支持されて鉛直上方に延ばされる第ｎ＋１の他の補助支柱ユニット（第２の他の補助支柱ユニット１７２、第３の他の補助支柱ユニット１７３・・・）が備えられている。第１の他の補助支柱ユニット１７１は、第２の主支柱１０４に対し、第１の主支柱１０２と反対の水平縦方向に間隔をおいた地面Ｇ上に直立される。
【００４８】
図２８及び図２９を参照して、第１の他の補助支柱ユニット１７１は、第１の補助支柱ユニット１４１（図２６及び図２７）と比較して、高さが相違するだけで実質的に同じ構成を有しているので、同一部分は同一符号で示し、説明は省略する。また、図２８及び図２９において一部が省略して示されている第２の他の補助支柱ユニット１７２は、第２の補助支柱ユニット１４２（図２６及び図２７）と比較して、高さも含め実質的に同じ構成を有しているので、同一部分は同一符号で示し、説明は省略する。なお、第２の他の補助支柱ユニット１７２を含む第ｎ＋１の他の補助支柱ユニット（第２の他の補助支柱ユニット１７２、第３の他の補助支柱ユニット１７３、第４の他の補助支柱ユニット１７４・・・）は、相互に実質的に同じ構成を有している。このような構成は、組立式階段１００の組立の容易化、迅速化、コストダウンに寄与する。
【００４９】
第１の補助支柱ユニット１４１、第２の補助支柱ユニット１４２・・・第ｎの補助支柱ユニットと実質的に同じ如くして、第１の他の補助支柱ユニット１７１上に第２の他の補助支柱ユニット１７２が、第２の他の補助支柱ユニット１７２上に第３の他の補助支柱ユニット１７３が、・・と順に鉛直上方にボルト１５４＆ナットにより離脱自在に連結・支持されてゆく。このような構成は、組立式階段１００の組立の容易化、迅速化、コストダウンに寄与する。
【００５０】
図１５及び図１６を参照して、第２の片側階段ユニット２Ｕａの、第２の主支柱１０４における下から１番目の梁１０４−１の片側１０４−１ａの先端側に位置する側枠・手摺ユニット１２０の下水平部１２５の先端及び第１の他側階段ユニット１Ｕｂの、第２の主支柱１０４における下から１番目の梁１０４−１の他側１０４−１ｂの先端側に位置する側枠・手摺ユニット１３０の上水平部１３６の先端は、第２の他の補助支柱ユニット１７２の下端部（梁部材１６４の両端部）にボルト＆ナットにより離脱自在に連結・支持される。このような構成は、組立式階段１００の組立の容易化、迅速化、コストダウンに寄与する。
【００５１】
第ｎ＋２の片側階段ユニット（第３の片側階段ユニット３Ｕａ、第４の片側階段ユニット４Ｕａ・・・）の、第２の主支柱１０４における下からｎ＋１番目の梁（１０４−２、１０４−３・・・）の片側（１０４−２ａ、１０４−３ａ・・・）の先端側に位置する側枠・手摺ユニット１２０の下水平部１２５の先端及び第ｎ＋１の他側階段ユニット（第２の他側階段ユニット２Ｕｂ、第３の他側階段ユニット３Ｕｂ・・・）の、第２の主支柱１０４における下からｎ＋１番目の梁（１０４−２、１０４−３・・・）の他側（１０４−２ｂ、１０４−３ｂ・・・）の先端側に位置する側枠・手摺ユニット１３０の上水平部１３６の先端は、それぞれ第ｎ＋２の他の補助支柱ユニット（１７３、１７４・・・）の下端部（梁部材１６４の両端部）にボルト＆ナットによりに離脱自在に連結・支持される。このような構成は、組立式階段１００の組立の容易化、迅速化、コストダウンに寄与する。
【００５２】
図１４〜図１６を参照して、第１の補助支柱ユニット１４１の長さを長くして、第１の片側階段ユニット１Ｕａの、第１の主支柱１０２における梁１０２−１の片側１０２−１ａの先端側に位置する側枠・手摺ユニット１１０の上水平部１１５の先端及び第１の他側階段ユニット１Ｕｂの、第１の主支柱１０２における梁１０２−１の他側１０２−１ｂの先端側に位置する側枠・手摺ユニット１３０の下水平部１３５の先端を、第１の補助支柱ユニット１４１の上端部にボルト＆ナットにより離脱自在に連結・支持する他の実施形態もある。この場合、第ｎ＋１の片側階段ユニット（２Ｕａ、３Ｕａ・・・）の、第１の主支柱１０２における下からｎ＋１番目の梁（１０２−２、１０２−３・・・）の片側（１０２−２ａ、１０２−３ａ・・・）の先端側に位置する側枠・手摺ユニット（１２０、１２０・・・）の上水平部（１２６、１２６・・・）の先端及び第ｎ＋１の他側階段ユニット（２Ｕｂ、３Ｕｂ・・・）の、第１の主支柱１０２における下からｎ＋１番目の梁（１０２−２、１０２−３・・・）の他側（１０２−２ｂ、１０２−３ｂ・・・）の先端側に位置する側枠・手摺ユニット（１３０、１３０・・・）の下水平部１３５の先端は、それぞれ対応する第ｎ＋１の補助支柱ユニット（１４２、１４３・・・）の上端部にボルト＆ナットにより離脱自在に連結・支持されることになる。
【００５３】
同様に、第１の他の補助支柱ユニット１７１の長さを長くして、第２の片側階段ユニット２Ｕａの、第２の主支柱１０４における下から１番目の梁１０４−１の片側１０４−１ａの先端側に位置する側枠・手摺ユニット１２０の下水平部１２５の先端及び第１の他側階段ユニット１Ｕｂの、第２の主支柱１０４における下から１番目の梁１０４−１の他側１０４−１ｂの先端側に位置する側枠・手摺ユニット１３０の上水平部１３６の先端を、第１の他の補助支柱ユニット１７１の上端部にボルト＆ナットにより離脱自在に連結・支持する他の実施形態もある。この場合、第ｎ＋２の片側階段ユニット（第３の片側階段ユニット３Ｕａ、第４の片側階段ユニット４Ｕａ・・・）の、第２の主支柱１０４における下からｎ＋１番目の梁（１０４−２、１０４−３・・・）の片側（１０４−２ａ、１０４−３ａ・・・）の先端側に位置する側枠・手摺ユニット１２０の下水平部１２５の先端及び第ｎ＋１の他側階段ユニット（第２の他側階段ユニット２Ｕｂ、第３の他側階段ユニット３Ｕｂ・・・）の、第２の主支柱１０４における下からｎ＋１番目の梁（１０４−２、１０４−３・・・）の他側（１０４−２ｂ、１０４−３ｂ・・・）の先端側に位置する側枠・手摺ユニット１３０の上水平部１３６の先端は、それぞれ第ｎ＋１の他の補助支柱ユニット（１７２、１７３・・・）の上端部にボルト＆ナットによりに離脱自在に連結・支持されることになる。
【図面の簡単な説明】
【００５４】
【図１】本発明に従って構成された組立式階段の実施形態を示す分解斜視図である。
【図２】図１に示す組立式階段の側枠・手摺ユニットの側面図である。
【図３】図１に示す組立式階段の支柱ユニットの正面図であって、ブレース部材を省略して示す正面図である。
【図４】図１に示す組立式階段の側枠・手摺ユニットと支柱ユニットの分解側面図である。
【図５】側枠・手摺ユニットの一部と踏み板ユニットの実施形態を、一部を断面で示す斜視図である。
【図６】踏み板ユニットの他の実施形態を示す斜視図である。
【図７】図６のＡ矢視図である。
【図８】図７のＢ矢視図である。
【図９】側枠・手摺ユニットの一部と踏み板ユニットの更に他の実施形態を、一部を断面で示す斜視図である。
【図１０】図９に示す踏み板ユニットに備えられた滑り止め兼化粧板の断面図である。
【図１１】踏み板ユニットの更に他の実施形態を、一部を断面で示す斜視図である。
【図１２】踏み板ユニットの更に他の実施形態の一部を示す斜視図である。
【図１３】本発明に従って構成された組立式階段の他の実施形態の一部を示す斜視図である。
【図１４】図１３に示す組立式階段を、図１３において右斜め裏面側から見た側面図であって、主支柱と階段ユニットの一部と補助支柱ユニットの一部とを示す側面図である。
【図１５】図１３に示す組立式階段を、図１３において斜め右方から見た正面図であって、主支柱と階段ユニットの一部と補助支柱ユニットとを示す正面図である。
【図１６】図１３に示す組立式階段を、図１３において斜め左方から見た側面図であって、主支柱と階段ユニットの一部と補助支柱ユニットの一部とを示す側面図である。
【図１７】図１３に示す組立式階段の一部を、図１３において斜め右方から見た正面図である。
【図１８】図１３に示す組立式階段を、図１３において右斜め裏面側から見た側面図であって、一部を省略して示す側面図である。
【図１９】図１４の下端部の一部を拡大して示す図である。
【図２０】第１の片側階段ユニットにおける外側の側枠・手摺ユニットを、図１３において斜め右方から見た正面図である。
【図２１】第１の片側階段ユニットにおける内側の側枠・手摺ユニットを、図１３において斜め右方から見た正面図である。
【図２２】第２の片側階段ユニットにおける外側の側枠・手摺ユニットを、図１３において斜め右方から見た正面図である。
【図２３】第２の片側階段ユニットにおける内側の側枠・手摺ユニットを、図１３において斜め右方から見た正面図である。
【図２４】第１の他側階段ユニットにおける外側の側枠・手摺ユニットを、図１３において左斜め裏面側から見た正面図である。
【図２５】第１の他側階段ユニットにおける内側の側枠・手摺ユニットを、図１３において左斜め裏面側から見た正面図である。
【図２６】第１の補助支柱ユニットと第２の補助支柱ユニットとを分解して示す正面図である。
【図２７】図２６を図２６において左方から見た側面図である。
【図２８】第１の他の補助支柱ユニットと、第２の他の補助支柱ユニットの一部とを分解して示す正面図である。
【図２９】図２８を図２８において左方から見た側面図である。
【符号の説明】
【００５５】
２、１００：組立式階段
４、６：側枠・手摺ユニット
８：踏み板ユニット
１０：支柱ユニット
【図１】
2008297881.tif 000003
【図２】
2008297881.tif 000004
【図３】
2008297881.tif 000005
【図４】
2008297881.tif 000006
【図５】
2008297881.tif 000007
【図６】
2008297881.tif 000008
【図７】
2008297881.tif 000009
【図８】
2008297881.tif 000010
【図９】
2008297881.tif 000011
【図１０】
2008297881.tif 000012
【図１１】
2008297881.tif 000013
【図１２】
2008297881.tif 000014
【図１３】
2008297881.tif 000015
【図１４】
2008297881.tif 000016
【図１５】
2008297881.tif 000017
【図１６】
2008297881.tif 000018
【図１７】
2008297881.tif 000019
【図１８】
2008297881.tif 000020
【図１９】
2008297881.tif 000021
【図２０】
2008297881.tif 000022
【図２１】
2008297881.tif 000023
【図２２】
2008297881.tif 000024
【図２３】
2008297881.tif 000025
【図２４】
2008297881.tif 000026
【図２５】
2008297881.tif 000027
【図２６】
2008297881.tif 000028
【図２７】
2008297881.tif 000029
【図２８】
2008297881.tif 000030
【図２９】
2008297881.tif 000031